(57)【要約】【課題】携帯電話機に適用した場合に、無線ＬＡＮ基地局との情報交換なしに、携帯電話機だけで通話可能とすることができる携帯電話機用セクタアンテナ装置を提供する。【解決手段】複数のアンテナ素子６，７，８を電波の到来または放射方向を当該複数のアンテナ素子により分担するように配置されたセクタアンテナ部を、そのセクタアンテナ部と携帯無線機の送受信回路１０との間に配置された給電回路９により制御して、セクタアンテナ部の指向特性が携帯無線機の所望の選択・合成モードに適合して、受信時には、複数のアンテナ素子の少なくとも一つが選択され、送信時には、複数のアンテナ素子のすべてが選択されるか又は該複数のアンテナ素子のうちの少なくとも一つのアンテナ素子を除く残余のアンテナ素子を選択するように構成されている。【選択図】      図２
2005151300.tif 000002
【特許請求の範囲】
【請求項１】
操作ボタン等の操作器を有する操作部により制御される携帯無線機に用いられるセクタアンテナ装置であって、
複数のアンテナ素子を備えて前記携帯無線機に受信されるかまたは該携帯無線機から送信される電波の到来または放射方向を当該複数のアンテナ素子により分担するように配置されたセクタアンテナ部と、
該セクタアンテナ部と前記携帯無線機の送受信回路の間に配置されて前記複数のアンテナ素子のうちの少なくとも１つの所望のアンテナ素子が前記送受信回路に接続されるように制御される制御給電回路と、
前記操作部からの操作信号と受信電界強度等の受信品質に従って、前記セクタアンテナ部の指向特性が前記携帯無線機の所望の選択・合成モードに適合して、受信時には、前記複数のアンテナ素子の少なくとも一つが選択され、送信時には、前記複数のアンテナ素子のすべてが選択されるか又は該複数のアンテナ素子のうちの少なくとも一つのアンテナ素子を除く残余のアンテナ素子を選択するように、前記制御給電回路を制御するアンテナ制御部と
を備えた携帯無線機用セクタアンテナ装置。
【請求項２】
前記選択・合成モードは、前記携帯無線機の受信時には最も電界強度の高い１つのアンテナを選択する第１の選択・合成モードであり、前記携帯無線機の送信時には、当該携帯無線機の通話ボタンが押されていてかつ内蔵マイクロホンが使用されている場合には、人体に接する側のアンテナ素子からの送信のみを停止し、残りの全アンテナ素子から送信する第２の選択・合成モードであり、当該携帯無線機の通話ボタンが押されていないか、内蔵マイクロホンが使用されていない場合には全てのアンテナ素子から送信する第３の選択・合成モードであるように前記アンテナ制御部が制御するように構成された請求項１記載の携帯無線機用セクタアンテナ装置。
【請求項３】
前記制御給電回路は、
片面にグランド用導体が形成された高周波用両面基板と、
給電端からの高周波線路を二分岐するように前記高周波用両面基板上に形成された第一の二分岐高周波線路と、
該第一の二分岐高周波線路の分岐出力となる二つの高周波線路の少なくとも一方をさらに二分岐するように前記高周波用両面基板上に形成された第二の二分岐高周波線路と、
前記第一，第二の二分岐高周波線路のおのおのの分岐出力となる各二つの高周波線路の少なくとも一方内で、前記高周波線路の二分岐点から使用周波数の１／４波長の電気長の整数倍の位置に配置された少なくとも一つの高周波用オン／オフ・スイッチとを備え、
前記第一，第二の二分岐高周波線路の分岐出力の端部が前記複数のアンテナ素子に接続されるように構成されたことを特徴とする請求項１又は２に記載の携帯無線機用セクタアンテナ装置。
【発明の詳細な説明】
【技術分野】
【０００１】
本発明は無線ＬＡＮを用いた携帯無線機に、複数の指向性アンテナを異なる方向へ向けた、いわゆるセクタアンテナを内蔵する場合において、各指向性アンテナを選択，合成する技術に関する。
【背景技術】
【０００２】
無線ＬＡＮは、パソコンにおけるデータ通信に広く利用されているが、最近では無線ＬＡＮを用いて、音声のパケット通信を行い、携帯無線機として使用される場合も多い。これは、既に構築されている無線ＬＡＮの基地局ネットワークをそのまま利用して、音声の携帯無線機による通話を可能とするもので、比較的低コストで音声の通信ネットワークを構築できることから、今後さらに普及すると考えられる。
【０００３】
この場合、携帯無線機の通話品質を向上させたり、通話可能距離を伸ばしたりするために、ダイバーシチ技術が用いられる。図７にこのダイバーシチ技術を用いた携帯無線機を示す。８１は無線機本体であり、８２は受話器、８３は表示窓、８４は操作ボタン、８５は送話器である。アンテナはメインアンテナ８６と内蔵されたサブアンテナ８７で構成され、ダイバーシチ受信を可能としている。
【０００４】
無線ＬＡＮでは、現在２．４ＧＨｚ帯の他、５．２ＧＨｚ帯も用いられ、使用周波数が高い。使用周波数が高くなると電波の直進性が高まり、マルチパスフェージング等の劣化要因により、通話可能距離が短くなったり、通話品質が低下したりする。
【０００５】
ダイバーシチ受信を更に発展させたアンテナ方式としては、セクタアンテナがその１つに上げられる。セクタアンテナは複数のアンテナから構成され、その複数のアンテナの各アンテナが感度を持つアンテナ指向方向の範囲を限定して、複数のアンテナでほぼ全指向方向を満足するようにしたものである。これは、複数の方向から到来する電波から特定の方向の電波を選択して受信できるため、マルチパスフェージングに強く、特に周波数の高い無線システムには従来から用いられてきた。このセクタアンテナは、近年広く普及している携帯電話機にも用いられている（特許文献１，２参照）。
【特許文献１】特開平１１−１７７４８５号公報
【特許文献２】特開２００３−１６３９５６号公報
【発明の開示】
【発明が解決しようとする課題】
【０００６】
しかしながら、セクタアンテナを携帯無線機に適用すると、特に送信時にどのアンテナを選択して送信したらよいかという問題が生じていた。これを解決するために、無線ＬＡＮ基地局では、どのアンテナで送信したらよいかという情報を携帯無線機に通知する必要があり、とくに制御を複雑にしていた。また、移動することが普通である携帯無線機において、この情報は常に更新されなければならず、制御は更に複雑なものとなっていた。
さらに、携帯無線機にセクタアンテナを適用すると、通話時に人体に電波が直接到達する場合があり、人体の健康上も悪影響がある。
【０００７】
本発明は、従来技術におけるような欠点を解消するために、携帯電話機に適用した場合に、無線ＬＡＮ基地局との情報交換なしに、携帯電話機だけで通話可能とすることができる携帯電話機用セクタアンテナ装置を提供するものである。
【課題を解決するための手段】
【０００８】
この目的を達成するために、本発明による携帯無線用セクタアンテナ装置は、操作ボタン等の操作器を有する操作部により制御される携帯無線機に用いられるセクタアンテナ装置であって、
複数のアンテナ素子を備えて前記携帯無線機に受信されるかまたは該携帯無線機から送信される電波の到来または放射方向を当該複数のアンテナ素子により分担するように配置されたセクタアンテナ部と、
該セクタアンテナ部と前記携帯無線機の送受信回路の間に配置されて前記複数のアンテナ素子のうちの少なくとも１つの所望のアンテナ素子が前記送受信回路に接続されるように制御される制御給電回路と、
前記操作部からの操作信号と受信電界強度等の受信品質に従って、前記セクタアンテナ部の指向特性が前記携帯無線機の所望の選択・合成モードに適合して、受信時には、前記複数のアンテナ素子の少なくとも一つが選択され、送信時には、前記複数のアンテナ素子のすべてが選択されるか又は該複数のアンテナ素子のうちの少なくとも一つのアンテナ素子を除く残余のアンテナ素子を選択するように、前記制御給電回路を制御するアンテナ制御部と
を備えた構成を有している。
前記選択・合成モードは、前記携帯無線機の受信時には最も電界強度の高い１つのアンテナを選択する第１の選択・合成モードであり、前記携帯無線機の送信時には、当該携帯無線機の通話ボタンが押されていてかつ内蔵マイクロホンが使用されている場合には、人体に接する側のアンテナ素子からの送信のみを停止し、残りの全アンテナ素子から送信する第２の選択・合成モードであり、当該携帯無線機の通話ボタンが押されていないか、内蔵マイクロホンが使用されていない場合には全てのアンテナ素子から送信する第３の選択・合成モードであるように前記アンテナ制御部が制御するように構成することができる。
前記制御給電回路は、
片面にグランド用導体が形成された高周波用両面基板と、
給電端からの高周波線路を二分岐するように前記高周波用両面基板上に形成された第一の二分岐高周波線路と、
該二分岐高周波線路の分岐出力となる二つの高周波線路の少なくとも一方内で、前記高周波線路の二分岐点から使用周波数の１／４波長の電気長の整数倍の位置に配置された少なくとも一つの高周波用オン／オフ・スイッチとを備え、
前記二分岐高周波線路の分岐出力となる二つの高周波線路の端部が前記複数のアンテナ素子に接続されるように構成することができる。
【発明の効果】
【０００９】
本発明は、上記課題に鑑みてなされたもので、セクタアンテナを携帯無線機に適用した場合に、無線ＬＡＮ基地局との情報交換なしに、携帯無線機だけで通話可能とするものであり、また人体側の指向性アンテナからの送信のみを停止することが可能で、人体の健康上の悪影響も取り除くことができる。
さらに、受信に関しては、マルチパスフェージングによる劣化を防ぐため、最適な指向性アンテナを選択することが可能となるので、従来のセクタアンテナの性能を、携帯電話機においても、維持することが可能である。
【００１０】
本発明のセクタアンテナ装置は、制御給電回路によってアンテナへの給電を制御できるため、セクタアンテナとしての本来の受信性能が確保できるほか、送信に関しても人体への影響を軽減することが可能であり、特に人体頭部に接近して通話する場合には、人体頭部側の指向性アンテナのみからの送信を停止することができる。またセクタアンテナにおける送信アンテナの選択が必要ないため、無線基地局との情報交換の必要がない。本発明により、携帯無線機にセクタアンテナを搭載することが、可能となるため、その効果は大きい。
【発明を実施するための最良の形態】
【００１１】
図１に本発明のセクタアンテナ装置を適用した携帯電話機の外観図を示す。図１において、１は無線機本体であり、２は受話器、３は表示窓、４は操作ボタン、５は送話器である。本実施例では、指向性アンテナ６，７，８を異なる３方向に向けている。アンテナ６，７，８は無線機本体１の外側にのみ指向性を持つアンテナであり、例えばマイクロストリップアンテナなどで構成される。このアンテナは、薄型で平面に垂直な方向に指向性を持ち、比較的小型にすることも可能であるから、平面アンテナとして広く用いられているが、水平面内無指向性を作ることが難しいので、従来の携帯無線機に使用されることは少なかった。本発明ではアンテナを３つ用いればそれぞれ異なる方向へ指向性をもたせることにより、ほぼ水平面内無指向性を達成している。
【００１２】
図２にアンテナ６，７，８の制御系を示す。指向性アンテナ６，７，８は同軸ケーブル１２を通してそれぞれ制御給電回路９に入力される。制御給電回路９ではアンテナ６，７，８からのＲＦ信号を選択または合成して、さらに同軸ケーブル１３を通して送受信回路１０に入力される。送受信で得られたデータは、携帯機制御部１４に入力され、データを音声に変換したり、操作部１５に情報を表示したりする。１１はアンテナ制御部であり、送受信回路１０から、信号電界強度またはそれに類する受信信号品質を評価できる信号を得る。この情報を基にしてアンテナ制御部１１では、制御給電回路９の制御を行う。また、内蔵スピーカが使用されていたり、通話ボタンが押されたりした場合には、操作部１５からのこの情報が携帯機制御部１４を通ってアンテナ制御部１１に入力され、人体側のアンテナからの送信を停止する。
【００１３】
次に、制御給電回路９について詳しく説明する。制御給電回路９の内部構成図を、図３に示す。図３は、高周波用両面基板２０の表面だけを示したもので、裏面は図示されていないが、全面がグランドを構成する導体層である。この基板２０は高誘電率のものを使用すると、より小型になり、また使用周波数が高いほど小型である。その理由は後ほど説明する。そのため携帯無線機に収納できる大きさにすることは比較的容易である。
【００１４】
図３（ａ）において、２４は制御給電回路本体であり、表面にマイクロストリップラインによる給電回路を示している。また、２１−１から２１−５はマイクロストリップラインでエネルギを各アンテナへ運ぶ働きをする。マイクロストリップライン２１−３から２１−５までは、特性インピーダンスが５０オームである。マイクロストリップライン２１−１と２１−２については後ほど説明する。
【００１５】
２２−１から２２−４はアンテナスイッチであり、高周波信号をスイッチングする。このスイッチの機能動作を図４（ａ）に示す。このようにアンテナスイッチは、両側のマイクロストリップラインを短絡または開放する。言い換えると、アンテナスイッチは信号を接続するか遮断する。これらのアンテナスイッチ動作のためには制御信号等が必要であるが、原理の説明であるから、制御信号用のラインは省略している。
【００１６】
２３−１から２３−４はマイクロストリップラインと同軸ケーブルの変換コネクタであり、ここで同軸ケーブルに変換される。変換コネクタ２３−１からの同軸ケーブルは、図２において１３であり、送受信回路１０へ接続される。変換コネクタ２３−２，２３−３，２３−４からの同軸ケーブルは、図２において１２であり、それぞれアンテナ６，７，８へ接続される。このときアンテナ６，７，８は図１のアンテナ６，７，８に対応している。
【００１７】
図３（ｂ）には図３（ａ）の一部を拡大して再掲されている。図３（ａ）と図３（ｂ）において、マイクロストリップライン等の番号は対応している。２１−１はマイクロストリップラインであり、一部省略されている。２２−１，２２−２は、アンテナスイッチである。前述したように、これらのアンテナスイッチは図４（ａ）の機能動作をする。また、マイクロストリップライン２１−２と２１−５は一部のみを再掲し、残りの部分は省略している。図３（ｂ）において、マイクロストリップライン２１−１は、ある区間２５−１，２５−２を除いて特性インピーダンスが５０オームである。
【００１８】
ここでアンテナスイッチ２２−１，２２−２をＯＮ（接続）にすると、マイクロストリップライン２１−１はデバイダと考えられ、この場合区間２５−１，２５−２はインピーダンス変換器である。インピーダンス変換器は異なる２つのインピーダンスＺ１，Ｚ２を変換する電気長１／４波長のマイクロストリップラインであり、その特性インピーダンスは通常√（Ｚ１×Ｚ２）である。この特性インピーダンスの幅に区間２５−１，２５−２を形成すれば最も損失が少ない。ここで、折曲りポイント２６−１，２６−２の特性インピーダンスは５０オームであり、分岐ポイント２７は２分岐しているため、特性インピーダンスは１００オームとなる。このデバイダにより、エネルギは二分岐され、２つのマイクロストリップラインに分岐される。
【００１９】
さらに、アンテナスイッチ２２−１をＯＮ（接続）とし、アンテナスイッチ２２−２をＯＦＦ（遮断）とする。このとき２分岐の分岐ポイント２７からアンテナスイッチ２２−２までのマイクロストリップラインは、先端がオープンであるスタブとみなせる。このとき、このオープンスタブの長さは１／２波長である。長さ１／２波長のオープンスタブは、幹のストリップラインには何ら影響を与えない。そのため分岐ポイント２７から折曲りポイント２６−２を通り、アンテナスイッチ２２−２までのマイクロストリップラインは、折曲りポイント２７から折曲りポイント２６−１を通り、アンテナスイッチ２２−１に至るマイクロストリップライン上のエネルギの流れには影響を与えない。
【００２０】
この原理を利用すると、図３（ｂ）において分岐ポイント２７からエネルギを、折曲りポイント２６−１側のみに供給させることと、折曲りポイント２６−２側のみに供給させることと、両方に供給することの３通りの選択が可能である。
【００２１】
ここでは、図３（ｂ）のように構成したマイクロストリップラインを、デバイダとして用いたり、スタブとして用いたりしたが、このとき区間２５−１，２５−２のマイクロストリップラインの最適な幅が異なる。デバイダとして用いる場合には、これを前述のようにインピーダンス変換器の原理に基づいた幅にするのがよい。一方、オープンスタブとして用いる場合には、特性インピーダンス５０オームの幅とするのがよい。これらを考慮して本発明では、区間２５−１，２５−２の幅をインピーダンス変換器の原理に基づいた幅と特性インピーダンス５０オームの幅のほぼ中間の幅としている。これにより、デバイダとして用いた場合とオープンスタブとして用いた場合の両方において、損失を最小限に抑えている。
【００２２】
次に、区間２５−１，２５−２の最適な特性インピーダンスを求める。この区間の特性インピーダンスをＺ０と置くと次の式が成立する。
【００２３】
【数１】
2005151300.tif 000003
【００２４】
ここで、Ｚ１は分岐ポイント２７の特性インピーダンスであり、Ｚ２は折曲りポイント２６−１，２６−２の特性インピーダンスである。なお、本実施例のようにＺ１＝１００、Ｚ２＝５０とおいて計算してみると、Ｚ０はおよそ６０オームになる。すなわち、区間２５−１，２５−２の幅は特性インピーダンス約６０オームのマイクロストリップラインにすればよい。
【００２５】
上記計算例ではデバイダとスタブの両方において損失を少なくする構成を説明したが、デバイダとしての性能を優先させるか、スタブとしての性能を優先させるかで、値のとり方も変わってくる。ここで、スタブとしての性能を優先させる場合には、Ｚ２（計算例では５０オーム）近づけ、デバイダとしての性能を優先させる場合には、√（Ｚ１×Ｚ２）（計算例では約７０オーム）に近づける。
【００２６】
本実施例では、２分岐の地点からアンテナスイッチまでのマイクロストリップラインを電気的な長さ１／２波長で先端がオープンであるスタブとみなした。しかしながら、同様の機能動作をするスタブは他にも存在する。１つはオープンスタブであって、電気的な長さはｎ／４波長である。但し、ｎは偶数である。もう１つは、ショートスタブであって、電気的な長さはｎ／４波長である。但し、ｎは奇数である。ショートスタブを構成する場合には、アンテナスイッチ２２−１〜２２−４を図４（ｂ）のようにする。
【００２７】
これらの原理を用いてアンテナスイッチ２２−１〜２２−４を制御し、デバイダとスタブの両方の働きをもたせることができれば本発明によるアンテナは構成可能である。特に、給電用プリント基板２０を小さくしたい場合には、１／４波長のショートスタブを用いる方がよい。
【００２８】
以上の説明から理解されるように、制御給電回路９はインピーダンス変換器を用いる。これは最小でも１／４波長が必要であるから、ある程度の大きさは許容しなければならない。しかしながら、周波数の高い領域での無線通信の場合には、誘電率の高い高周波基板を用いることより携帯無線機に収容することは可能である。
【００２９】
この制御給電回路を用いると、送受信回路が受信機として働く場合には、アンテナ６，７，８のいずれかを選択することが可能であるから、アンテナ制御部１１は最適な、例えば、電界強度が最も高い指向性アンテナを選択することが可能である。このときには、アンテナ制御部は、図５に示すアルゴリズムによって制御給電回路９を制御する。
【００３０】
図５を参照して、受信系の動作を説明する。Ｓ３１ではアンテナ６，７，８からの信号を合成するように制御給電回路９を制御して、受信待ち受け状態（アイドリング）にする。指向性アンテナ６，７，８の合成された指向性はほぼ水平面内指向性となり、どの方向からの電波でも対応できるようになっている。受信電波が到来すると、送受信回路１０内の検出回路が働き（Ｓ３２）、各アンテナ６，７，８それぞれに切り替えて、受信電界強度を測定する（Ｓ３３）。Ｓ３４，Ｓ３５，Ｓ３６では、最も大きい受信電界強度を示すアンテナを判別している。判別した結果、Ｓ３７，Ｓ３８，Ｓ３９でそのアンテナを選択する。最後に、送受信回路１０が制御給電回路９で選択されたアンテナでパケットの受信を行う。
無線ＬＡＮ用の送受信は全てパケットであるから、アンテナ選択はパケットのプリアンブルの部分で行われ、その後に続くデータはすべて同じアンテナで受信される。これは、パケットの長さが伝搬環境の変化に対して充分に近い場合には有効である。この仮定は成立する。
【００３１】
このアルゴリズムによるアンテナの選択は、アンテナを３つ選択して合成した場合よりアンテナを１つだけ選択した場合の方が、同じアンテナに供給されるエネルギが増えるので、相対的に高利得アンテナを用いたのと同じになり、送受信性能を向上させることが可能である。また、特定の方向からの電波のみを受信するのでマルチパスフェージングに強く、従来のアンテナを使用した場合に比べて高品質な通話が可能である。
【００３２】
受信系に関して本発明によるセクタアンテナ装置と通常のセクタアンテナとの違いについて、本発明は各指向性アンテナの合成した指向性でアイドリングを行うことが可能である点である。通常のセクタアンテナは合成信号を簡単に作れないため、アンテナを切り替えながらアイドリングしていた。これはアンテナの数が増えると制御が複雑になり、また受信波到来の検出まで時間がかかる。また、その時間分だけ長いプリアンブルを必要としていた。
【００３３】
本発明は、この点を改善したもので、携帯無線機に比較的容易にセクタアンテナを導入することが可能である。
また、比較的マルチパスフェージングの影響が少なく、充分な電界強度がある場合には、データを受信するときに、アンテナ６，７，８を合成した指向性を持つアンテナを用いることも可能である。また、アンテナ６，７を合成した指向性をもつアンテナとアンテナ８との２ブランチダイバーシチとしてしも使用することができる。
【００３４】
さらに、また送受信回路１０が送信機として働く場合には、制御給電回路９を用いて、アンテナ６，７，８の全てから電波を送信する。このため、１つの送信アンテナを選択する必要がないため、「発明が解決しようとしている課題」で述べたように、無線ＬＡＮ基地局との情報交換の必要がない。
【００３５】
また、受話器を耳につけて使用する場合には、アンテナ６からの送信を停止して、アンテナ７，８のみから送信することが可能であるから、人体頭部に電波を向けることを避けることができる。そのため、人体への悪影響を避けることが可能である。人体方向へのアンテナ６からの送信を停止させるアルゴリズムは図６に示す。
【００３６】
図６は送信系の動作を説明するためのフローチャートである。まず、携帯無線機の受話器が人体の耳に接近しているかどうかを判別する。それにはまず、通話ボタンが押されているかどうかを検出して（５１）、更に送話器５が使用されているかどうかを検出する（３２）。両方の条件が満たされている場合には、受話器が人体の耳に接近していると判定できるので、送信アンテナはアンテナ７，８を選択して、人体側のアンテナ６からの送信を停止する（５３）。この場合、人体側のアンテナ６に供給されるべきエネルギがアンテナ７，８に供給されるので、アンテナ７，８の利得が向上する。これにより、人体側アンテナ６の停止による不利益をカバーすることが可能である。上記両方の条件が満たされていない場合には、受話器が人体の耳に接近してないと判定できるので、アンテナ６，７，８全てを選択して（５４）、送信する。これが通常の送信アンテナとして最適な状態である。
【００３７】
このアルゴリズムにより、携帯無線機において送信に関しても人体にやさしいセクタアンテナが実現可能である。通常のセクタアンテナでは容易に複数のアンテナの合成指向性を作ることができないので、本発明のような効果は得られない。
【産業上の利用可能性】
【００３８】
携帯電話機に、本発明によるセクタアンテナ装置を搭載して、所要のセクタアンテナの性能を確保し得るとともに、人体への影響と人体による電波放射方向への影響を考慮した動作を行うことができる。この動作は、無線基地局との情報交換を要せずに実行可能である。
【図面の簡単な説明】
【００３９】
【図１】本発明を適用した携帯電話機の外観図である。
【図２】本発明を適用した携帯電話機の構成例を示すブロック図である。
【図３】本発明の実施例を示す平面図（ａ）及びその一部拡大図（ｂ）である。
【図４】本発明に用いるアンテナスイッチの構造例を示す回路図である。
【図５】本発明を適用した携帯電話機の受信系の動作を説明するためのフロー図である。
【図６】本発明を適用した携帯電話機の送信系の動作を説明するためのフロー図である。
【図７】従来の携帯電話機の構造例を示す外観図である。
【符号の説明】
【００４０】
１  無線機本体
２  受話器
３  表示窓
４  操作ボタン
５  送話器
６，７，８  指向性アンテナ
９  制御給電回路
１０  送受信回路
１１  アンテナ制御部
１２，１３  同軸ケーブル
１４  携帯機制御部
１５  操作部
２０  基板
２１−１〜２１−５  マイクロストリップライン
２２−１〜２２−４  アンテナスイッチ
２３−１〜２３−４  変換コネクタ
２４  給電回路
２５−１，２５−２  区間
２６−１，２６−２  折曲りポイント
２７  分岐ポイント
８１  無線機本体
８２  受話器
８３  表示窓
８４  操作ボタン
８５  送話器
８６  メインアンテナ
８７  サブアンテナ（内蔵）
【図１】
2005151300.tif 000004
【図２】
2005151300.tif 000005
【図３】
2005151300.tif 000006
【図４】
2005151300.tif 000007
【図５】
2005151300.tif 000008
【図６】
2005151300.tif 000009
【図７】
2005151300.tif 000010